(57)【要約】【課題】装着性を高めつつ、位相検知マークを目立たないようにして外観見栄えを向上することができる吸収性物品を提供する。【解決手段】本発明は、第１シートと、第２シートと、第１シートと第２シートとの間に配置された吸収体とを備えた吸収性物品であって、前記吸収体は前記吸収性物品の長手方向に複数に分割され、前記第１シートには、前記吸収体の分割箇所に対応する位置に前記吸収体との位置合わせ用の位相検知マークが少なくとも１つ付されている吸収性物品を提供する。【選択図】図１
2019115402.tif 000002
【特許請求の範囲】
【請求項１】
第１シートと、第２シートと、第１シートと第２シートとの間に配置された吸収体とを備えた吸収性物品であって、
前記吸収体は前記吸収性物品の長手方向に複数に分割され、
前記第１シートには、前記吸収体の分割箇所に対応する位置に前記吸収体との位置合わせ用の位相検知マークが少なくとも１つ付されていることを特徴とする吸収性物品。
【請求項２】
前記吸収体は、前記長手方向に沿った溝を有することを特徴とする請求項１に記載の吸収性物品。
【請求項３】
前記吸収体は前身頃部吸収体、股下部吸収体、および後身頃部吸収体の３つに分割されることを特徴とする請求項１または２に記載の吸収性物品。
【請求項４】
前記股下部吸収体には、前記溝が前記長手方向の一端から他端にかけてその全域に亘って形成されていることを特徴とする請求項３に記載の吸収性物品。
【請求項５】
前記前身頃部吸収体および前記後身頃部吸収体には、前記溝が前記股下部吸収体に対峙する一端からその中間部にかけて形成されていることを特徴とする請求項３または４に記載の吸収性物品。
【請求項６】
前記溝は分割された前記吸収体のそれぞれに一または複数設けられることを特徴とする請求項２〜５のいずれか一項に記載の吸収性物品。
【請求項７】
前記位相検知マークは前記吸収性物品の幅方向に複数有することを特徴とする請求項１〜６のいずれか一項に記載の吸収性物品。
【請求項８】
前記位相検知マークは前記吸収性物品の前記長手方向に複数有することを特徴とする請求項１〜７のいずれか一項に記載の吸収性物品。
【発明の詳細な説明】
【技術分野】
【０００１】
本発明は，着用者の股下に装着され，尿などの液体を吸収し保持するための紙おむつ等の吸収性物品に関する。
【背景技術】
【０００２】
紙おむつ等の吸収性物品では、液透過性のトップシートと液不透過性のバックシートとの間に吸収体が設けられ、トップシートを通して尿などの液体を吸収体に吸収して保持できるようになっている。
このような吸収性物品では、着用者の装着感を向上するため、吸収体を分割して着用者の体にフィットさせることが知られている（特許文献1および２等参照）
一方、特に、乳幼児などを対象とした紙おむつでは、衣服と同じように表面の色などの他に柄やキャラクターなどが印刷され、利用者や着用者が楽しく使えるような工夫がなされている。例えば、バックシートの表面に図柄を印刷し、バックシートの外側に配されるカバーシートを通してバックシートの表面の図柄を視認できるようにしたものが知られている。また、カバーシ−トの表面にキャラクターなどの図柄を直接印刷したものなども周知である。
【０００３】
このような紙おむつを製造する場合、カバーシートやバックシートの連続体にあらかじめ所定間隔毎に上述した図柄を印刷しておき、これを引き出しながら紙おむつの製造ラインに供給することが一般的である。このため、図柄が所定位置に配されるように図柄を位置合わせする必要があり、その位置合わせ用の位相検知マークが図柄と共にカバーシートやバックシートの連続体に印刷されている。そして、この位相検知マークを光学的なセンサを用いて検出し、この検出情報に基づいて図柄が所定位置に配されるように図柄を位置合わせする技術が特許文献３などに開示されている。
【先行技術文献】
【特許文献】
【０００４】
【特許文献１】特開２０１７−８０１０４号公報
【特許文献２】特開２０１６−６７３６６号公報
【特許文献３】特開２００５−８０８２７号公報
【発明の概要】
【発明が解決しようとする課題】
【０００５】
しかしながら、この種の紙おむつでは、図柄だけでなく、位相検知マークも視認されるので、位相検知マークによって外観見栄えが損なわれるという問題があった。
【０００６】
そこで、本発明の目的は、装着性を高めつつ、位相検知マークを目立たないようにして外観見栄えを向上することができる吸収性物品を提供することである。
【課題を解決するための手段】
【０００７】
本発明者らは、上記課題を解決すべく鋭意検討した結果、吸収体が吸収性物品の長手方向に複数に分割され、吸収体の分割位置に位相検知マークを形成した吸収性物品を提供することにより、上記課題が解決できることを見出し、本発明に至った。
【０００８】
本発明の吸収性物品は、第１シートと、第２シートと、第１シートと第２シートとの間に配置された吸収体とを備えた吸収性物品であって、前記吸収体は長手方向に複数に分割され、前記第１シートには、前記吸収体の分割箇所に対応する位置に位相検知マークが少なくとも１つ付されていることを特徴とする。
【発明の効果】
【０００９】
本発明によれば、装着性を高めつつ、位相検知マークを目立たないようにして外観見栄えを向上することができる吸収性物品が提供できる。
【図面の簡単な説明】
【００１０】
【図１】本発明に係る吸収性物品の例を示す展開図である。
【図２】本発明に係る吸収性物品の例を示す分解図である。
【図３】本発明に係る吸収性物品に用いられる吸収体の例を示す概略図である。
【発明を実施するための形態】
【００１１】
以下、本発明の実施の形態について説明するが、本発明は以下の実施の形態に限定されるものではない。
【００１２】
本発明は、第１シートと、第２シートと、第１シートと第２シートとの間に配置された吸収体とを備えた吸収性物品１０に関する。図１および図２は、本発明の一実施態様の展開図および分解図を示す。
【００１３】
［１］第１シート
第１シート２は、第２シート４との間に吸収体３を挟持して吸収性物品１０を形成するシートであって、着用者の肌に接する側とは反対側の面を形成するシートである。
【００１４】
第１シート２には、柄やキャラクターなどの図柄（図示せず）が印刷によって付されているとともに、後述する吸収体３の分割箇所に対応する位置（分割位置２０）にその幅方向両側に第１シート２の長手方向に沿って片側２個づつ位相検知マーク２１が印刷によって付されている。図柄は、連続する第１シート２にその長手方向に沿って所定間隔で印刷される。位相検知マーク２１は、連続する第１シート２にその長手方向に図柄の間隔と同一間隔で印刷によって付され、図柄が吸収性物品１０の所定位置に配されるように図柄を位置合わせするために、検出されるマークである。具体的には、位相検知マーク２１は、例えば、特許文献３に開示される周知技術によって、図柄の位置合わせ用として用いられる。位相検知マーク２１は、吸収体３の分割位置２０に少なくとも１つ付されていればよく、第１シート２にその幅方向片側にのみ付されていてもよく、また第１シート２の長手方向に沿って単一のみ付与されていてもよい。位相検知マーク２１の長手方向の大きさは、分割された吸収体間の幅寸法よりも小さくなっている。
【００１５】
第１シート２は、位相検知マーク２１を付されるシートであれば、バックシートまたはカバーシートであってもよい。図１および２に記載の実施態様では、バックシート２が第１シートである。
【００１６】
バックシート２は、第２シート４を透過し吸収体３に吸収された液体が、漏出することを防止するための部材である。このため、バックシート２は、液不透過性材料によって構成される。そして、バックシート２は、吸収体３の底面からの液漏れを防止するため、吸収体３の底面を被覆するように配置される。
【００１７】
バックシート２を構成する不透過材料の例は、ポリエチレン樹脂からなる液不透過性のフィルムである。特に、０．１〜４μｍの微細な孔が複数形成された微多孔性ポリエチレンフィルムを用いることが好ましい。
【００１８】
本発明の一の実施態様では、図２に示されるように、バックシート２の吸収体３に対峙する面と反対の面に、手触りを良くするためのカバーシート１が貼り合わせられ、カバーシート１を通してバックシート２の図柄や位相検知マーク２１が視認可能となっている。
【００１９】
カバーシート１を構成する材料としては、織布や不織布が用いられる。特に、カバーシートを構成する材料として、ポリエチレン、ポリプロピレン、ポリエステルのような熱可塑性樹脂からなる不織布又は湿式不織布を用いることが好ましい。
【００２０】
［２］第２シート
第２シート４は、第１シート２とともに吸収体を挟持し、着用者の股下部の肌に直接接して、尿などの液体を吸収体３に透過させるための部材である。このため、第２シート４は、柔軟性が高い液透過性材料で構成される。また、第２シート４は、トップシートとも呼ばれ、吸収体３の表面を被覆するように配置される。第２シート４を構成する不透過性材料の例は、織布、不織布、又は多孔性フィルムである。また、例えばポリプロピレンやポリエチレン、ポリエステル、ナイロンのような熱可塑性樹脂の繊維を親水化処理してさらに不織布にしたものを用いることとしてもよい。
【００２１】
［３］吸収体
吸収体３は、尿などの液体を吸収し、吸収した液体を保持するための部材である。吸収体３は、第１シート２と第２シート４との間に配置される。吸収体３は、第２シート４を透過した液体を吸収する機能を有し、吸収性材料により構成される。
【００２２】
吸収体３を構成する吸収性材料は、公知の材料を採用することができる。吸収性材料としては、例えば、フラッフパルプ、レーヨン、または高吸収性ポリマー（Super absorbent polymer。以下、ＳＡＰともいう）、を用いることができる。また、吸収性材料には、フラッフパルプ、ＳＡＰ、又は親水性シートのうち１種類を単独で用いてもよいし、２種類以上を併用することとしてもよい。フラッフパルプと高吸収性ポリマーを併用したものを好ましく使用することができる。
【００２３】
吸収性材料は、通常、単層又は複数層のマット状に形成され、用いられる。吸収性材料は、１種が単独で用いられてもよいし、２種以上が併用されてもよい。
【００２４】
吸収体３は、長手方向に複数に分割される。本実施の形態では、前身頃部、股下部、後身頃部に対応し、前身頃部吸収体３ａ、股下部吸収体３ｂ、および後身頃部吸収体３ｃの３つに分割されている。本発明において、「吸収体が分割される」とは、吸収体３が分割位置２０において物理的に分断される場合に加え、分割位置２０における厚さが、吸収体３の他の部分と比べ、１／５以下である場合も含む。
【００２５】
本発明の他の実施態様において、吸収体は２つに分割される。その場合、分割位置２０を吸収体３が均等に分割されるように設けてもよく、また、吸収体３が不均等に分割されるように設けてもよい。好ましくは、前身頃側の吸収体が大きくなるように、分割される（図３（ａ）、（ｂ）参照）。
【００２６】
吸収体３の形状は、適宜、紙おむつの形状や，大きさ，用途に合せて設計することができる（図３（ａ）、（ｂ）、（ｇ）、（ｈ）参照）。例えば，吸収体３の形状は、矩形型、楕円形型、又はひょうたん型もしくは砂時計型としてもよい。砂時計型とは、前身頃部と後身頃部において、吸収体３の両側縁が、幅方向外側に向かって延出した延出部を有することを意味する。
【００２７】
吸収体３は、図３（ｃ）〜（ｆ）に示されるように、トップシート４側の表面に長手方向に沿って溝を設けてもよい。好ましくは、溝は分割された吸収体のそれぞれに複数設けられる。吸収体３を前身頃部、股下部および後身頃部に対応して３つに分割した場合、図３（ｃ）、（ｄ）に示されるように、前身頃部吸収体３ａ、股下部吸収体３ｂ、および後身頃部吸収体３ｃのそれぞれに溝３ｄが設けられる。股下部吸収体３ｂの溝３ｄは、図３（ｃ）〜（ｆ）に示されるように、股下部吸収体３ｂの長手方向の一端から他端にかけてその全域に亘って形成してもよい。一方、前身頃部吸収体３ａおよび後身頃部吸収体３ｃの溝３ｄは、図３（ｃ）、（ｄ）に示されるように、股下部吸収体３ｂに対峙する一端からその中間部にかけて形成してもよい。図３（ｃ）〜（ｆ）に示されるように、吸収体３のトップシート４側の表面に長手方向に沿って溝を設けてた場合には、股下部吸収体３ｂで吸収した液体を溝に沿って前身頃部吸収体３ａおよび後身頃部吸収体３ｃまで拡散し、吸収させることができる。また、図３（ｅ）、（ｆ）に示されるように、他の実施態様では、前身頃部吸収体３ａおよび後身頃部吸収体３ｃには溝が形成されておらず、股下部吸収体３ｂのみに溝３ｄが形成されている。
【００２８】
本発明の吸収体３は、吸収性材料が親水性シートにより保持された形態のものを使用することもできる。例えば、親水性シートの片面にＳＡＰの層を設けたもの、２枚の親水性シートの間にＳＡＰを挟持したもの等の、吸収性材料の表面に親水性のシート等を設けたものを使用することができる。特に、吸水性材料をコアとし、その全体がティシュのような親水性シートのコアラップ（図示せず）でくるまれている、いわゆる「コアラップ型吸収体」は、コアである吸水性材料の表出や漏出が防止され、好ましい。
【００２９】
コアラップとして、例えば、ティシュ、吸収紙、親水化処理を行った不織布等の親水性シートを使用することができる。目付は５〜４０ｇ／ｍ2の範囲内のもの、好ましくは、目付が１０〜３０ｇ／ｍ2の範囲内のものを用いることができる。
【００３０】
吸収体３は、分割したそれぞれをコアラップで包んでもよく、分割された吸収体３の複数を同一のコアラップで包んでもよい。分割された複数の吸収体３を同一のコアラップで包む場合、分割位置２０の厚さは他の部分の１／５以下である。
【００３１】
［４］吸収性物品
図２に示すように、本発明の吸収性物品１０において、吸収体３は第１シート２と第２シート４との間に配置される。吸収体３はコアラップで被覆されてもよい。
【００３２】
また、第２シート４と吸収体３の間に拡散シート（図示せず）を備えてもよい。拡散シートは第２シート４から取り込んだ液体の後戻りを防止するためのものである。拡散シートは、好ましくは、第２シート４よりも液体透過速度が速いシートである。これによれば、第２シート４側から吸収した液体を、速やかに吸収体へ移行させて吸収性能を高めることができる。拡散シートは、後戻り防止シート、中間シートまたはセカンドシートと呼ばれることもある。
【００３３】
さらに、本発明の吸収性物品１０は、サイドシート５を吸収性物品１０の長手方向に沿って第２シート４の上部に設けてもよい。サイドシート５は着用時に吸収体３の両側縁部に沿って起立し、尿漏れおよび／または尿の染み出しを防止することができる。
【００３４】
本発明の吸収体３は、分割位置２０において、存在しないか、または厚さが薄くなっているため、本発明の吸収性物品１０は、着用者の着用状態で、分割位置２０においてシワや折りこみを形成する。その結果、第１シート２の分割位置２０に付与した位相検知マーク２１は折りこみの中に埋め込まれ、外観上目立たず、外観見栄えが向上する。さらに、分割位置２０にシワや折込がなされることで、その他の領域ではシワなどが生じにくくなり、模様や図柄を付した部分の視認性を向上することができる。
【００３５】
また、本発明の吸収体３は複数に分割されているため、吸収体が着用者のラインおよび動きにフィットしやすく、高い装着性を有する。また、分割された吸収体３はより強固に接着することができるため、包装時および着用時の吸収体のよれが抑えられる。
【００３６】
本発明の吸収性物品１０は、紙おむつとして使用することができる。紙おむつは図１に示すような展開型でも、パンツ型（図示せず）でもよい。展開型の場合、前身頃部のウエスト前面にフロントパッチ２７が設けられ、着用者の股下部を覆うように紙おむつをあてがった後、後身頃部に備えたファスティングテープ２６を該フロントパッチ２７に係合して、着用させる。その際、ウエスト部弾性伸縮部材２３がウエスト部に伸縮を与えるため、着用者の体にフィットし、着用者へのフィット性が向上する。
【００３７】
また、図１に示すように、本発明に係る紙おむつは脚部弾性伸縮部材２２を備えることで、着用者の脚部の付け根まわりにフィットし、動作時の装着性を高めると共に、脚部付け根からの尿の漏れを防ぐことができる。
【００３８】
さらに、本発明に係る紙おむつは、不織布に立体ギャザー弾性伸縮部材２４を付した立体ギャザー部２５をさらに有してもよい（図１参照）。立体ギャザー部２５は起立した状態（立体ギャザー弾性伸縮部材２４が収縮した状態）において尿の防漏壁となるため、第２シート４を一時的に透過しきれなかった尿や、吸収体３により吸収しきれなった尿が、吸収性物品１０の脚部周り開口部などから漏出する事態を防止できる。
【００３９】
本発明に係る紙おむつは、乳幼児や高齢者用のおむつに適用することができる。したがって、本発明は、育児及び介護に関する産業において好適に利用し得る。
【符号の説明】
【００４０】
１    カバーシート
２    第１シート（バックシート）
３    吸収体
３ａ  前身頃部吸収体
３ｂ  股下部吸収体
３ｃ  後身頃部吸収体
４    第２シート
５    サイドシート
１０    吸収性物品
２０    分割位置
２１    位相検知マーク
２２    脚部弾性伸縮部材
２３    ウエスト部弾性伸縮部材
２４    立体ギャザー弾性伸縮部材
２５    立体ギャザー部
２６    ファスティングテープ
２７    フロントパッチ
【図１】
2019115402.tif 000003
【図２】
2019115402.tif 000004
【図３】
2019115402.tif 000005